(57)【要約】【課題】ディスク型カッターで排稈を短切りして排出する場合は、切藁を刈取跡地に広く分散排出して略均等の層にすることができると共に、長切りして排出する場合は、切藁を分散させずに纏まって寄せて排出することができ、更には長切りした切藁が引っ掛かったり、落下空間を塞いで積み重なった結果、生ずるカッター詰まりを防止することができるコンバインを提供する。【解決手段】切断長可変のディスク型カッター５５が切断した切藁を穂先側、或いは株元側に向けて流下案内する分散板９４，９５を、切藁の落下位置に臨む作用位置と落下位置から外れた非作用位置に移動自在に設ける。【選択図】図１４
2015073475.tif 000002
【特許請求の範囲】
【請求項１】
排稈の切断長を長短に切り替えることができる切断長可変のディスク型カッターを備えたコンバインにおいて、前記カッターが切断した切藁を穂先側、或いは株元側に向けて流下案内する分散板を、切藁の落下位置に臨む作用位置と落下位置から外れた非作用位置に移動自在に設けることを特徴とするコンバイン。
【請求項２】
前記分散板を、カッターの下方に設ける開閉自在な下部カバーに取り付けると共に、排稈を短切りする場合は下部カバーを閉じ、また、排稈を長切りする場合は下部カバーを開いて、分散板を切藁の落下位置に臨む作用位置と落下位置から外れた非作用位置に移動させることを特徴とする請求項１に記載のコンバイン
【請求項３】
前記分散板を、切藁の流下案内面が一連に連続する上部分散板と下部分散板によって形成すると共に、上部分散板はカッターの下方に固定した下部カバーに取り付け、また、下部分散板は開閉自在な下部カバーに取り付けることを特徴とする請求項２に記載のコンバイン。
【請求項４】
前記カッターが切断した切藁を、排塵ファンの排出風によって後方側斜め下方に向けて吹き飛ばすと共に、排稈を長切りする場合には、分散板を排塵ファンの排出風路から外れた非作用位置に移動させることを特徴とする請求項１乃至３に記載のコンバイン。
【発明の詳細な説明】
【技術分野】
【０００１】
本発明は、脱穀された後の排稈を切断するディスク型カッターを備えたコンバインに関し、詳しくは、排稈の切断長を長短に切り替えることができる切断長可変のディスク型カッターを備えたコンバインに関する。
【背景技術】
【０００２】
刈取り・脱穀・籾の選別・藁処理を同時に行うコンバインにおいては、刈取部で刈り取った穀稈を脱穀部に搬送して脱穀するとともに、選別部で風選と揺動の２つの方法で籾と藁屑とに選別し、籾は揚穀装置でグレンタンクや籾袋に貯留する一方、藁屑や塵埃（排塵）は排塵ファンによって吸引して機外に排出する。また、脱穀した後の排稈は搬送装置によってディスク型カッターに送り、ディスク型カッターは送られてきた排稈を切断して切藁として圃場に排出する。
【０００３】
しかし、前述したコンバインから排出される排塵や切藁は、回り刈りする際に機体の進行方向左側となる未刈り地側に排出されると、次工程の刈り取り時に既刈り地側（右側）に位置する分草板や引起し装置により引っ掛けて取り込むことがあり、刈取部や脱穀部の詰まりの原因となる。また、排塵や切藁は土に鋤き込んで肥料として利用する場合と、天日乾燥させた後、ロールベーラ等で集めて粗飼料として利用する場合がある。
【０００４】
そして、前者の排塵や切藁を土に鋤き込んで肥料として利用する場合は、圃場に対する肥料効果を均一にするために、圃場に排塵や切藁を均一にばら撒くことが望ましい。また、その際の切藁の長さは短いほど鋤き込み時の埋没程度が高くなって腐熟が促進される。しかも、埋没しない切藁等は水面に浮いて風に吹き寄せられたりして、田植え時に欠株等を生じさせるが、切藁の長さが短いと埋没して、これらの障害も防止することができる。
【０００５】
一方、後者の排塵や切藁を粗飼料として利用する場合は、ロールベーラ等での収集作業を能率的に行うために、圃場に排塵や切藁が纏まって寄せられていることが望ましい。また、排塵や切藁の回収率を高めるためには排稈の無切断が望ましいが、回収されなかったり回収不能な排塵や切藁が、その後に土に鋤き込まれることを想定して、切藁の長さをロールベーラ等で回収可能な最低限の長さにする必要がある。
【０００６】
そこで、切藁を土に鋤き込んで肥料として利用する場合は短切りし、また、切藁を粗飼料として利用する場合は長切りすることができる切断長可変のディスク型カッターを備えたコンバインが開発されている。また、切藁を土に鋤き込んで肥料として利用することを目的に、圃場面に短切りした切藁を拡散排出するための拡散案内装置を設けたディスク型カッターを備えるコンバインが知られている（例えば、特許文献１参照。）。
【先行技術文献】
【特許文献】
【０００７】
【特許文献１】特許第４５９６３１０号公報
【発明の概要】
【発明が解決しようとする課題】
【０００８】
ところで、上記特許文献１に記載されたコンバインは、ディスク型カッターの下部に切藁を穂先側、即ち回り刈りする際に既刈り地側となる右方向に流下案内する株元案内板を設けることによって、排出した切藁を次工程で刈取部で引っ掛けることなく刈取り作業を行うことができる。また、切藁をカッター軸の方向、特に穂先寄りへ拡散案内する拡散案内板を設けることによって、嵩張る株元部側の切藁を穂先側へ広く分散排出して切藁を略均等の層にすることができる、点で優れたものとなっている。
【０００９】
しかし、係るディスク型カッターを、排稈の切断長を長短に切り替えることができる切断長可変のディスク型カッターに変更して、切藁を粗飼料として利用すべく長切りする場合には、切藁が拡散案内板によって広く分散排出されるため、ロールベーラ等で収集作業を行うときに反ってこれが禍となって切藁等の回収時間がかかり、能率的に収集作業を行うことができないという問題がある。
【００１０】
また、このものでは、拡散案内板の上端縁を前側下位に向けて傾斜させ、切藁が落下しても引っ掛かり難く滑落し易い形状にしているが、短切りした切藁より長切りした切藁はどうしても折れ曲がって上端縁に引っ掛かり易く、しかも、左右の拡散案内板の間に形成される空間は、切藁の長さより当然にして長くしているが、複数の切藁が交錯しながら落下すると、その空間より切藁の一連の長さが長くなって、左右の拡散案内板の間に挟まり、その上に次々と落下する切藁が刺さってブリッジ状に積み重なる。さらに、切藁の長さは一律にカッターの隣合う大径鋸刃間の長さとなるわけではなく、折れ曲がって掻き込まれた排稈であれば、カッターの切断長の１．５倍程度長い切藁も存在し、上記のような引っ掛かりや積み重なりを生じさせる要因ともなっている。
【００１１】
そこで、本発明は、上記のような問題点に鑑み、ディスク型カッターで排稈を短切りして排出する場合は、切藁を刈取跡地に広く分散排出して略均等の層にすることができると共に、長切りして排出する場合は、切藁を分散させずに纏まって寄せて排出することができ、更には長切りした切藁が引っ掛かったり、落下空間を塞いで積み重なった結果、生ずるカッター詰まりを防止することができるコンバインを提供することを課題とする。
【課題を解決するための手段】
【００１２】
本発明は、上記課題を解決するため第１に、排稈の切断長を長短に切り替えることができる切断長可変のディスク型カッターを備えたコンバインにおいて、前記カッターが切断した切藁を穂先側、或いは株元側に向けて流下案内する分散板を、切藁の落下位置に臨む作用位置と落下位置から外れた非作用位置に移動自在に設けることを特徴とする。
【００１３】
また、本発明は、第２に、前記分散板を、カッターの下方に設ける開閉自在な下部カバーに取り付けると共に、排稈を短切りする場合は下部カバーを閉じ、また、排稈を長切りする場合は下部カバーを開き、分散板を切藁の落下位置に臨む作用位置と落下位置から外れた非作用位置に移動させることを特徴とする。
【００１４】
さらに、本発明は、第３に、前記分散板を、切藁の流下案内面が一連に連続する上部分散板と下部分散板によって形成すると共に、上部分散板はカッターの下方に固定した下部カバーに取り付け、また、下部分散板は開閉自在な下部カバーに取り付けることを特徴とする。
【００１５】
そして、本発明は、第４に、前記カッターが切断した切藁を、排塵ファンの排出風によって後方側斜め下方に向けて吹き飛ばすと共に、排稈を長切りする場合には、分散板を排塵ファンの排出風路から外れた非作用位置に移動させることを特徴とする。
【発明の効果】
【００１６】
本発明のコンバインによれば、カッターが切断した切藁を穂先側、或いは株元側に向けて流下案内する分散板を、切藁の落下位置に臨む作用位置と落下位置から外れた非作用位置に移動自在に設けることにより、排稈を短切りする場合は分散板によって切藁を刈取跡地に広く分散排出して略均等の層にすることができる。また、長切りする場合は分散板を作用させず、切藁をそのまま落下させて纏まって排出することができ、しかも、分散板に長切りした切藁が引っ掛かったり分散板の間に積み重なって、カッター詰まりが生じることを防止することができる。
【００１７】
また、分散板を、カッターの下方に設ける開閉自在な下部カバーに取り付けると共に、排稈を短切りする場合は下部カバーを閉じ、また、排稈を長切りする場合は下部カバーを開き、分散板を切藁の落下位置に臨む作用位置と落下位置から外れた非作用位置に移動させると、複数の分散板を一時に作用位置と非作用位置に移動させることができると共に、分散板の取り付けが容易となって製作コストを低減することができる。
【００１８】
さらに、分散板を、切藁の流下案内面が一連に連続する上部分散板と下部分散板によって形成すると共に、上部分散板はカッターの下方に固定した下部カバーに取り付け、また、下部分散板は開閉自在な下部カバーに取り付けると、流下案内面の長さを長くして切藁の放出距離を稼ぐことができると共に、多量に切藁が流下して引っ掛かったり、分散板の間に積み重なって、カッター詰まりが生じ易い下部分散板のみを作用位置と非作用位置に移動させることができる。また、軽量化のために開閉自在な下部カバーを合成樹脂製にした場合でも、下部分散板の上端部を上部分散板の下端部に係合させて補強することができるので、下部分散板の倒れを防止して切藁を円滑に流下させることができる。
【００１９】
そして、カッターが切断した切藁を、排塵ファンの排出風によって後方側斜め下方に向けて吹き飛ばすと共に、排稈を長切りする場合には、分散板を排塵ファンの排出風路から外れた非作用位置に移動させると、確実に分散板に切藁が作用せず引っ掛からないため、分散板からの切藁の除去作業を不要にして、刈取り作業を能率的に行うことができる。
【図面の簡単な説明】
【００２０】
【図１】コンバインの右側面図である。
【図２】コンバインの正面図である。
【図３】コンバインの平面図である。
【図４】脱穀部の模式図である。
【図５】可動カバーを閉じた状態のディスク型カッターの右側面図である。
【図６】同上背面図である。
【図７】同上左側面図である。
【図８】同上正面図である。
【図９】図６におけるＧＧ線で切断した左断面図である。
【図１０】可動カバーを開いた状態のディスク型カッターの右側面図である。
【図１１】同上背面図である。
【図１２】同上左側面図である。
【図１３】同上正面図である。
【図１４】図１１におけるＨＨ線で切断した左断面図である。
【発明を実施するための形態】
【００２１】
本発明の実施形態を図面に基づいて説明する。図１乃至図３に示すように刈取り・脱穀・籾の選別・藁処理を同時に行うコンバイン１は、複胴下扱ぎ軸流式の脱穀部を備える乗用４条刈りの自脱型コンバインであって、左右のクローラ式走行装置２を下部に備えた走行フレーム３の機体進行方向右側前部にキャビン４で覆われた運転操作部Ａを設け、また、左側前部から運転操作部Ａの前方にかけて刈取部Ｂを図示しない油圧シリンダによって昇降自在に設けている。さらに、前記刈取部Ｂの後方には脱穀部Ｃを設けると共に、脱穀部Ｃの右側には収穀部Ｄを設けている。そして、前記脱穀部Ｃと収穀部Ｄの後方には排藁処理装置Ｅを設けている。
【００２２】
以下、各部の構成を説明すると、前記運転操作部Ａは、図示しないエンジンを覆うエンジンカバー５の上面に座席６を取り付け、座席６前方のフロア７から立設した操作コラム８には、計器盤等を備えるフロントパネル９と、機体の旋回操作と刈取部Ｂの昇降操作を行うマルチステアリングレバー１０等を設けている。また、座席６の左側に設けたサイドパネル１１には、走行静油圧式無段変速装置（走行ＨＳＴ）を操作する主変速レバー１２と、トランスミッションケースに設けた走行副変速機構を操作する副変速レバー１３と、扱深さ自動制御、方向自動制御、及び水平自動制御を入り切りする自動スイッチ１４と、脱穀・刈取スイッチ１５、或いは選別ダイヤル１６等を設けている。
【００２３】
また、前記刈取部Ｂは、入力ケース、株元ケース、及び下伝動ケース等を結合して略エ字状をなす伝動フレーム１７と、下伝動ケースの両端に取り付ける前処理フレーム１８等を備え、前記前処理フレーム１８の５本の分草パイプの先端には大小の分草板（デバイダ）１９を取り付けている。また、左右端の分草板１９にはナローガイド２０を後方に向けて延出すると共に、左右の大分草板１９の間には引起しケース２１内に爪付チェンを巻回した引起し装置２２を互いに向き合うように対をなして２組立設している。
【００２４】
さらに、前記前処理フレーム１８の後部側にはレシプロ方式の刈刃２３を左右動自在に横設し、この刈刃２３上には対をなして互いに噛み合う２組のスターホイルと、その上部に設ける突起付ベルトで構成される掻込み装置２４を設けている。また、掻込み装置２４から脱穀部Ｃに向けて揚上搬送装置２５を設けており、この揚上搬送装置２５は、左右の掻込み搬送チェン、爪を備える左右の穂先搬送チェン、扱深さ搬送チェン、株元補助搬送チェン、並びにそれらの挟持ガイド及び案内板等で構成される。
【００２５】
そして、この刈取部Ｂにおいて、圃場に植立する穀稈は、刈取部Ｂの前端下部に設けた分草板１９とナローガイド２０によって刈取穀稈と未刈取穀稈とに区分けされ、次いで左右の分草板１９の間に入った穀稈が引起し装置２２の爪によって倒伏状態にあれば直立状態に引起こされ、その後、穀稈の株元が刈刃２３によって刈取られ、また、掻込み装置２４によって後方に掻き込まれた２条分毎の穀稈が、揚上搬送装置２５の左右の掻込み搬送チェン及び穂先搬送チェンによって合流され、さらに、扱深さ搬送チェンによって脱穀部Ｃに供給される扱深さが調整されながら脱穀部Ｃに搬送される。
【００２６】
さらに、前記脱穀部Ｃは、図１及び図４に示すように前後壁と左右の側壁と底板と上方を覆うシリンダーカバー２６等からなる機枠の上部に扱室２７が形成され、扱室２７には刈取部Ｂから搬送されてきた穀稈を扱口に沿って搬送する脱穀フイードチェン２８と、周囲に多数植設された扱歯２９を備える第１扱胴３０と、第１扱胴３０の下方に設けた半円形をなす受網３１を設けている。また、扱室２７内で脱粒処理しきれなかった穀粒の混ざった藁屑等を処理する処理室３２を、第１扱胴３０の後端穂先側より機体の後方に向かい並列して設けている。この処理室３２には、第２扱胴３３と受網３４を設けている。
【００２７】
なお、第２扱胴３３は、前部側に螺旋３３ａを設け、その後部側には多数の扱歯３３ｂを植設し、最後部には跳出板３３ｃを設けて、第２扱胴３３が回転することにより処理室３２内に供給されてきた処理物を再度、脱粒処理するようになっている。また、処理室３２の入口には送塵口を設け、また、出口には排塵口を設けて処理室３２から直接、機外に排塵するようにしている。さらに、第１及び第２扱胴３０，３３の下方には、受網３１，３４より漏下した穀粒等を選別処理する揺動選別体３５及び選別風路３６等よりなる選別部を設けている。
【００２８】
ここで、揺動選別体３５は、後端側に向かうにつれて高い位置となる傾斜状に設け、その前端側より順に無孔のグレンパン３７、多数のフィンよりなるチャフシーブ３８、多数枚の鋸歯状のラックを並設したストローラック３９、及びチャフシーブ３８の下方にクリンプ網４０を備えた一体状の枠体で構成し、揺動機構により揺動選別体３５全体が前後方向に揺動運動を行うようになっている。
【００２９】
一方、選別風路３６は、揺動選別体３５の前端側下方に設けた唐箕ファン４１と中央部下方に設けたターボファン４２よる起風作用と選別部の後端開口部上方に設けた横断流ファンとなした排塵ファン（吸引ファン）４３の吸引作用とによって形成される一番物選別風路３６ａと二番物選別風路３６ｂによって構成し、上記揺動選別体３５の揺動運動と相まって風選と揺動の２つの方法で受網３１，３４より漏下したものを籾と藁屑とに選別するものである。なお、排塵ファン４３で吸引された藁屑及び塵埃等の排塵は上下のファンケーシング４３ａ，４３ｂに形成した排塵口４４より脱穀部Ｃの後方に排出される。
【００３０】
さらに、揺動選別体３５のクリンプ網４０の下方には、揺動選別作用と選別風の風選作用によって選別された一番物を回収する一番螺旋４５と二番物を回収する二番螺旋４６を備える一番受樋４７と二番受樋４８を設けている。そして、一番螺旋４５によって横送りされた一番物（穀粒）は、揚穀筒に内装した揚穀螺旋４９によって収穀部Ｄを構成するグレンタンク５０に移送され、二番螺旋４６によって横送りされた二番物（未選別穀粒、藁屑等）は、還元筒に内装した二番還元螺旋５１でチャフシーブ３８上へ再び還元される。なお、グレンタンク５０は穀粒を一時貯蔵し、その後、排出オーガ５２により機外へ排出し、或いは、下部に設けたシャッタとハンガを用いて籾袋に取出すことができる。
【００３１】
また、揺動選別体３５の後端側上方には、脱穀処理を完了して扱室２７より排出された排稈を後方に設けた排藁処理装置Ｅに向けて搬送する排藁搬送装置５３を設けている。この排藁搬送装置５３は、始端部を脱穀フィードチェン２８の終端部に臨ませ、且つ搬送終端側を機体内側に向けて斜設し、排稈の株元側は排藁チェンと挟持レールによって、また、穂先側は爪付きチェンによって搬送するように構成し、特に穂先側の爪付きチェンは穂先側の搬送と同時に穂先を広げて叩く作用を行い、刺さり粒を下方に設けた図示しない４番漏斗を介して四番口に回収して機外飛散を防止する。
【００３２】
従って、脱穀部Ｃにおいて、刈取部Ｂの揚上搬送装置２５によって搬送された穀稈は脱穀フィードチェン２８とシリンダカバー２６に設けた挟持レール５４で挟持搬送されて、その穂先側が扱室２７内で第１扱胴３０の回転により脱粒処理される。そして、脱穀物は扱室２７内で後方側へ移動する間に穀粒等（穀粒、枝梗粒、藁屑など）は下方の受網３１から漏下して揺動選別体３５上で揺動作用を受けながら後方側へ送られる。この際、穀粒等は選別風路３６による風選作用を受けながら、下方のクリンプ網４０を通過して一番受樋４７内に回収されて一番螺旋４５と揚穀螺旋４９を介して収穀部Ｄを構成するグレンタンク５０へ排出される。
【００３３】
また、藁屑等はチャフシーブ３８による揺動作用を受けながら後方に送られる間に風選作用を受けて選別されながら、ストローラック３９上に移送され、穂切れ等の重いものはチャフシーブ３８の間から落下してクリンプ網４０の後端から二番受樋４８内に回収されたり、ストローラック３９のラックの間から落下して二番受樋４８内に回収される。そして、二番受樋４８内に回収された二番物は、二番螺旋４６から二番還元螺旋５１に受け継がれて、再びチャフシーブ３８上に還元される。
【００３４】
一方、受網３１を通過しなかった藁屑や穂切れ等は、扱室２７の末端部より送塵口を経て処理室３２内で第２扱胴３３による再度の脱粒処理を受けて、穀粒等は受網３４を漏下して下方の揺動選別体３５上に落下するが、受網３４を通過しなかった藁屑等は、後端の排塵口から
跳出されて、その後、ストローラック３９上で最後まで残った比重の軽い長藁や藁屑等と共に、排塵物を排出する排塵ファン４３の排出風によって下向きに指向されて排塵口より脱穀部Ｃの後方に排出される。そして、扱室２７より排出された排稈は、脱穀フィードチェン２８の終端部から排藁チェンと爪付きチェンに引き継がれて排藁処理装置Ｅに搬送されるものである。
【００３５】
さらに、図５乃至図１４に示すように、前記排藁処理装置Ｅは、排稈の細断長さを長短に切り替えることができる切断長可変のディスク型カッター（排藁カッター）５５で構成している。このディスク型カッター５５は、脱穀部Ｃから排藁搬送装置５３で搬送された排稈を細断して刈取跡地に切藁として放出するものであり、ディスク型カッター５５は、前部側上部に設けた角パイプ５６の両端に矩形状になした左右の側板５７，５８を一体的に溶接したカッターフレームを備える。
【００３６】
そして、ディスク型カッター５５は、カッターフレームの右側板５８から外方に突出させた上下の支持ブラケット５９の先端にピン６０を設け、一方、走行フレーム３の右側に立設した図示しない支柱のボス部に、前記ピン６０を挿入して枢設し、また、角パイプ５６の左端側に設けたフック部５６ａを脱穀部Ｃの側壁後端のフランジに設けたピン６１に後方から係合させ、さらに、当該側壁に取り付けたクランプ６２を用いて脱穀部Ｃの後方において閉じた作業姿勢に固定することができる。また、クランプ６２を解除してカッター５５を支柱のボス部周りに後方へ回動すると、カッター５５の前部側が側方を向くように開放されるので、カッター５５のメンテナンスを容易に行うことができる。
【００３７】
また、ディスク型カッター５５は、その上部に排藁搬送装置５３の終端部から落下した排稈をカッターフレーム内に導入する導入口６３を設ける一方、下部には切断した切藁を排出する排出口６４を設けている。さらに、カッターフレームの左側板５７の外面側には、カッター５５の駆動部を設けている。この駆動部は、左側板５７に取り付けたベアリングホルダに軸支する鋸刃軸６５と、左側板５７に取り付けたブラケット６６に設けた中間軸６７と、中間軸６７の端部に枢支したカウンタメタルにベアリングを介して軸支した掻込軸６８を主体として、鋸刃軸６５に取り付けたプーリ６９と駆動スプロケット、プーリ６９に巻回するＶベルト７０のタイトプーリ７１、中間軸６７に取り付けた従動スプロケットと駆動歯車７２、鋸刃軸６５と中間軸６７のスプロケット同士に巻回するチェン、中間軸６７の駆動歯車７２と噛み合う掻込軸６８に取り付けた従動歯車７３等によって構成している。
【００３８】
そして、前記鋸刃軸６５は左側板５７と右側板５８に軸支され、その軸方向に大径鋸刃７４ａと小径鋸刃７４ｂを複数組付け、また、前記掻込軸６８は左側板５７と右側板５８に回動自在に枢支したカウンタメタルに軸支され、その軸方向に掻込刃７５を複数組付け、前記駆動部によって鋸刃軸６５と掻込軸６８は所定の周速差をもって互いに逆方向の内向き回転して、導入口６３から供給される排稈を鋸刃７４ａ，７４ｂと掻込刃７５によって切断する。また、左右のカウンタメタルを切断長切替レバー７６と回動シャフトとリンクを介して回動させると、掻込軸６８の位置が中間軸６７を中心にして変わり、それにより、掻込刃７５に大径鋸刃７４ａのみが交差する状態（長切り）と、小径鋸刃７４ｂも交差する状態（短切り）に、或いは大径鋸刃７４ａと小径鋸刃７４ｂ共に交差しない状態に切り替えて、排稈の細断長を長短に変更することができ、或いは掻込刃７５と鋸刃７４ａ，７４ｂを離間させてこれらのメンテナンスを行うことができる。
【００３９】
さらに、カッターフレームの前方はフロントカバー７７で、後方はセーフティカバー７８で、そして、左側の駆動部の外側方、上方、及び後方は左サイドカバー７９で、他側の右側板５８の外側方、上方、及び後方は右サイドカバー８０で覆っている。また、前記導入口６３には、導入口６３を開いて排稈の導入を許容する切断処理姿勢と、導入口６３を閉じて排稈の導入を規制する非切断処理姿勢とに回動変姿自在な排藁・カッタ切替板８１を設けており、この排藁・カッタ切替板８１は導入口６３の後端縁部に支軸８２を介して上下回動自在に支持し、切断処理姿勢における排藁・カッタ切替板８１は、所定の開き角度に保持され、その下面で排稈の導入を案内する一方、非切断処理姿勢における排藁・カッタ切替板８１は、その上面傾斜によって排稈をカッター５５後方まで案内して、そのまま機体の後方に放出するガイド部材としても機能する。
【００４０】
また、前記導入口６３の前端縁部には支軸８３を介して上下回動自在に設けられる導入ガイド板８４を設けており、導入ガイド板８４は導入口６３の前端部からカッター５５内方に傾斜状に延出して排稈を導入案内する切断処理姿勢と、導入口６３の前端部を閉じて排藁・カッタ切替板８１の先端部を接当支持する非切断処理姿勢とに回動変姿自在に構成している。そして、排藁・カッタ切替板８１と導入ガイド板８４は、図示しない切替板開閉レバーの操作によって連動して開閉作動するように連係されている。なお、排藁・カッタ切替板８１は切替板開閉レバーによって完全に後方に倒すことができ、その場合、カッター５５の後面から掃除、及びカッタ刃部、排藁チェン終端部の確認を行うことができる。
【００４１】
一方、カッター５５の排出口６４の下方側には下部カバーを設けており、この下部カバーはカッター５５で細断した切藁の拡散領域を規制する。即ち、下部カバーは、左右の側板５７，５８の後面に取り付けた鉄板製の固定カバー８５と、固定カバー８５の下方にヒンジを介して回動自在に取り付けた鉄板製の上カバー８６ａと、この上カバー８６ａの下端に一体的に取り付けた合成樹脂製の下カバー８６ｂからなる可動カバー８６と、左側板５７の下方に設けた左側カバー８７と、上カバー８６ａの右端部に取り付けた上板８８ａと上板８８ａの下縁にヒンジを介して回動自在に取り付けた下板８８ｂと下板８８ｂの前縁部に取り付けた前板８８ｃからなる右側カバー８８とから構成している。
【００４２】
ここで、上記各カバーの詳細を説明すると、先ず右側カバー８８の下板８８ｂは後部側を略直角に内側に向けて折曲し、左右方向を向く案内面８８ｄと前方向を向く案内面８８ｅが形成される。そして、右側カバー８８の下板８８ｂ内面にはナツト付きのプレート８９を取り付け、一方、下カバー８６ｂに形成した円弧状の長穴８６ｃに後方からノブボルト９０を通してプレート８９に設けたナットに螺子込むことで、右側カバー８８は垂下した状態から既刈り地側の右側に向けて４５度程度傾斜した状態まで角度を調節して固定することができる。
【００４３】
また、左側カバー８７は、下カバー８６ｂの前面に取り付けたブラケットにヒンジを介して上部が回動自在に支持され、下端側の後縁にはナット付きのプレート９１を取り付け、右側カバー８８と同様に下カバー８６ｂに形成した円弧状の長穴８６ｄに後方からノブボルト９２を通してプレート９１に設けたナットに螺子込むことで、左側カバー８７は垂下した状態から既刈り地側の右側に向けて４５度程度傾斜した状態まで角度を調節して固定することができる。そして、通常、右側カバー８８は既刈り地側に向けて最大に傾斜した状態で締結し、また、左側カバー８７は垂下した状態で締結し、これによりカッター５５で切断した切藁が左側カバー８７によって未刈地側の左側に拡散しないように規制し、また、右側カバー８８によって既刈り地側の右側への切藁の拡散を妨げないようにしている。
【００４４】
また、前記固定カバー８５は、その前面側に左右方向に離間させて二枚の上部分散板９３，９３を前方を向くように後縁をボルトで取り付けている。そして、この上部分散板は９３、その上縁が前低後高状に傾斜して切藁が上縁に引っ掛かっても前方に滑落するようにしてあると共に、切藁の流下案内面９３ａが既刈り地側の右方向を向くように所定幅をもって右傾斜し、また、下端側は垂直に折曲９３ｂし、この折曲部９３ｂに挟み込みプレート９３ｃをユ字状に溶接して、折曲部９３ｂの下端と挟み込みプレート９３ｃの下端との間に下方に向けて開口するスリットを形成している。
【００４５】
さらに、可動カバー８６の前面側には、前記固定カバー８５の上部分散板９３，９３に引き続いて切藁を一連に流下案内する二枚の下部分散板９４，９４と、一枚の下部可動分散板９５を取り付けている。そして、一方の下部分散板９４の上下方向に折曲した上端側は、前記上部分散板９３の下端に形成されるスリットに挿入し、この引き継ぎ部で切藁が引っ掛からないようにすると共に、下部分散板９４の前端側の倒れを防止している。また、下部分散板９４は上部分散板９３と同様に、切藁の流下案内面９４ａが既刈り地側の右方向を向くように所定幅をもって、４５度程度の角度をとって右傾斜させている。
【００４６】
さらに補足すると、下部分散板９４は可動カバー８６の合成樹脂製の下カバー８６ｂに後端側が取り付けられて前端側が振りっ放し状態となっているため、前端側が左右に倒れ易いものとなっている。しかし、これを鉄板製の固定カバー８５に強固に取り付けることができる上部分散板９３のスリットに係合させることにより補強することができる。また、上部分散板９３と下部分散板９４の流下案内面９３ａ，９３ｂ，９４ａを一連に連続させることによって、切藁の既刈り地側への放出距離（Ｌ１＋Ｌ２）を長くして切藁を広く拡散させることができる。
【００４７】
また、前記下部可動分散板９５は、可動カバー８６の上端側に設けた支点ボルト９６に後縁の上部側を回動自在に取り付けると共に、下カバー８６ｂに形成した円弧状の長穴８６ｅに後方からボルト９７を通して下部可動分散板９５の後縁の中途に設けたナットに螺子込むことで、下部可動分散板９５は垂下した状態から未刈り地側の左側に向けて４５度程度傾斜した状態まで角度を調節して固定することができる。
【００４８】
そして、通常、下部可動分散板９５は未刈り地側に向けて最大に傾斜した状態で締結し、これによりカッター５５で切断した切藁が下部可動分散板９５の流下案内面９５ａによって未刈地寄りに放出され、全体として下部カバーによって切藁は刈取跡地に層厚が均等になるように広く拡散させることができる。なお、下部可動分散板９５の上端側は、上部分散板９３の下方に隠れるように位置するため上方から落下する切藁の引っ掛かりを防止することができる。
【００４９】
一方、前記可動カバー８６は前述の通り、固定カバー８５の下縁にヒンジを介して回動自在に取り付けてある。また、右側カバー８８の上板８８ａが上カバー８６ａの右端部に取り付けられ、さらに右側カバー８８の上板８８ａには円弧状の長穴ａを形成し、この上板８８ａを右サイドカバー８０の下側に設けた右下サイドカバー９８の内側に挿入し、右下サイドカバー９８に設けたノブボルト９９の先端側を前記上板８８ａの長穴ａを通して右側板５８に設けたナットに締め込めば、可動カバー８６を右側カバー８８の上板８８ａを介して垂下させた閉鎖状態と後方に開いた解放状態に切り替えて締結することができる。
【００５０】
なお、可動カバー８６の左端側の前面には二条の円弧状の長穴１００ａ，１００ｂを形成した摺動板１００を取り付け、また、左側板５７の下端には支持板１０１を取り付け、前記摺動板１００を支持板１０１の外側に重合させて、前記長穴１００ａ，１００ｂを通した支持板１０１のボルトに蝶ナット１０２を螺子込むことによって、可動カバー８６の左側を開閉自在に締結支持している。
【００５１】
従って、可動カバー８６を解放状態にすると下部分散板９４，９４と下部可動分散板９５は、それまでの切藁を左右に分散させる作用位置から後方に退避して、切藁の分散作用を行わない非作用位置に移動（変位）させることができる。ところで、カッター５５で切断した切藁を刈取跡地に放出して、その後、切藁を土に鋤き込んで肥料として利用する場合は、切藁を圃場に均一に拡散させると共に切藁の腐熟を促進する意味で短切りする。また、切藁を天日乾燥させた後、ロールベーラ等で集めて粗飼料として利用する場合は、収集し易いように纏めて落下させると共に収集ロスを少なくする意味で長切りする。
【００５２】
そこで、前者の肥料として利用する場合は、カッター５５を短切り（切断長約６０ミリメートル）に切り替えると共に、可動カバー８６を垂下させた閉鎖状態に切り替えて刈取り作業を行う。この場合、排稈はカッター５５によって細断されて排出口６４から下方に落下するが、脱穀部Ｃの排塵ファン４３から出てくる排出風が、排塵口４４の上部側のファンケーシング４３ａに沿ってカッター５５のフロントカバー７７の下方から後方側斜め下方の可動カバー８６の下端に向けて吹き抜けるため、落下する切藁が上部分散板９３，９３、下部分散板９４，９４、及び下部可動分散板９５の流下案内面上に吹き飛ばされ、これらの分散板によって切藁が既刈り地側、或いは未刈り地側に分散して放出される。そして、これにより刈取跡地に切藁を層厚が均一になるように広く拡散させることができる。
【００５３】
また、後者の粗飼料として利用する場合は、カッター５５を長切り（切断長約１８０ミリメートル）に切り替えると共に、可動カバー８６を後方に開いた解放状態に切り替えて刈取り作業を行う。この場合、脱穀部Ｃの排塵ファン４３から出てくる排出風によって落下する切藁が上部分散板９３，９３の流下案内面上に多少吹き飛ばされるが、下部分散板９４，９４、及び下部可動分散板９５は排出風路Ｒから外れた後方に退避しているため、これらの流下案内面上に落下することはなく、従って、切藁が既刈り地側、或いは未刈り地側に分散して放出されることはなく、排出風と共にそのまま纏まって落下する。なお、長切りされた切藁を二枚の下部分散板９４，９４の間を通すと、両分散板９４，９４の間に形成される空間に切藁がブリッジ状に挟まって積み重なり、カッター詰まりを生じさせ、最悪の場合には鋸刃軸６５等を折損する虞があるが、長切りされた切藁を下部分散板９４，９４の間を通さないため、このような障害を未然に防止することができる。
【００５４】
なお、下部分散板９４，９４と下部可動分散板９５は可動カバー８６に取り付けているが、必ずしも可動カバー８６に取り付ける必要はなく、例えば、固定カバー８５に回動・固定自在に取り付けたり、左右の側板５７，５８に軸支したシャフトに取り付けて、カッター５５の排出口６４の下方に臨む作用状態と後方に退避した非作用状態に変位自在に切り替えることができるようにしても良く、その場合は、可動カバー８６も垂下させた閉鎖状態と後方に開いた開放状態に同時に切り替える必要がある。また、下部分散板９４，９４と下部可動分散板９５を可動カバー８６の前面に沿うように折り畳んで非作用状態になるように構成すれば、可動カバー８６を格別、回動させる必要もなくなり、本発明は、前記実施形態に限定されるものではない。
【符号の説明】
【００５５】
１    コンバイン
４３  排塵ファン
５５  ディスク型カッター
８６  可動カバー（下部カバー）
９３  上部分散板
９４  下部分散板
９５  下部可動分散板
【図１】
2015073475.tif 000003
【図２】
2015073475.tif 000004
【図３】
2015073475.tif 000005
【図４】
2015073475.tif 000006
【図５】
2015073475.tif 000007
【図６】
2015073475.tif 000008
【図７】
2015073475.tif 000009
【図８】
2015073475.tif 000010
【図９】
2015073475.tif 000011
【図１０】
2015073475.tif 000012
【図１１】
2015073475.tif 000013
【図１２】
2015073475.tif 000014
【図１３】
2015073475.tif 000015
【図１４】
2015073475.tif 000016